(57)【要約】【課題】再生データの再生時間を短縮するとともに、ユーザの負担を低減することである。【解決手段】撮影装置２は、ユーザの移動経路の位置情報からなるルートを入手するルート入手手段と、複数の過去の再生データの作成時の位置情報を記憶するＳＮＳサーバ１から、作成されたルートの近辺で作成された過去の再生データの位置情報を収集する収集手段と、ルートの各地点に対応する受信した位置情報の数に応じて、ルート上の重み付けを行う重み付け手段と、重み付けがなされたルートに応じて、ルート上で作成される複数のデータ要素からなる再生データにおける再生時間を短縮する再生時間短縮手段と、を備える。【選択図】図１
2015186193.tif 000002
【特許請求の範囲】
【請求項１】
ユーザの移動経路の位置情報からなるルートを入手するルート入手手段と、
複数の過去の再生データの作成時の位置情報を記憶する記憶手段から、前記入手されたルートの近辺で作成された過去の再生データの位置情報を収集する収集手段と、
前記ルートの各地点に対応する前記収集した位置情報の数に応じて、当該ルート上の重み付けを行う重み付け手段と、
前記重み付けがなされたルートに応じて、当該ルート上で作成される複数のデータ要素からなる再生データにおける再生時間を短縮する再生時間短縮手段と、
を備えるデータ処理装置。
【請求項２】
前記再生時間短縮手段は、前記重み付け手段により重み付けがなされたルートに応じて、当該ルート上で作成される前記再生データにおける当該重み付けの度合いが小さいデータ要素ほど再生速度を大きく設定する請求項１に記載のデータ処理装置。
【請求項３】
前記再生時間短縮手段により設定された再生速度に応じて、前記再生データを再生する再生手段を備える請求項２に記載のデータ処理装置。
【請求項４】
各データ要素の作成時に対応する位置情報が対応付けられた再生データを取得する再生データ取得手段を備え、
前記ルート入手手段は、前記取得された再生データに対応付けられた位置情報に基づいて、ルートを作成する請求項１から３のいずれか一項に記載のデータ処理装置。
【請求項５】
前記データ処理装置の測位を行い位置情報を取得する位置情報取得手段と、
再生データを作成し、当該再生データの各データ要素の作成時に対応する前記取得された位置情報を当該作成された再生データに対応付ける再生データ作成手段と、を備え、
前記ルート入手手段は、前記作成された再生データに対応付けられた位置情報に基づいて、ルートを作成する請求項１から３のいずれか一項に記載のデータ処理装置。
【請求項６】
前記再生時間短縮手段は、前記再生データ作成手段により作成された再生データにおける再生時間を短縮する請求項５に記載のデータ処理装置。
【請求項７】
前記再生データは、画像データであり、
前記データ要素は、フレーム画像であり、
前記再生時間短縮手段は、前記重み付け手段により重み付けがなされたルートに応じて、当該ルート上で作成される画像データにおける当該重み付けの度合いが小さいフレーム画像ほど表示時間を短く設定する請求項２又は３に記載のデータ処理装置。
【請求項８】
前記データ処理装置の測位を行い位置情報を取得する位置情報取得手段を備え、
前記再生データは、画像データであり、
前記データ要素は、フレーム画像であり、
前記再生時間短縮手段は、前記重み付け手段により重み付けがなされたルートに応じて、当該ルート上で作成される画像データにおける当該重み付けの度合いが小さいフレーム画像ほど撮影間隔を長く設定し、
前記取得された位置情報と前記設定された撮影間隔とに応じて、撮影により画像データを作成する再生データ作成手段を備える請求項２に記載のデータ処理装置。
【請求項９】
ルートの作成操作を受け付ける操作手段を備え、
前記ルート入手手段は、前記ルートの作成操作に基づいて、ルートを作成する請求項８に記載のデータ処理装置。
【請求項１０】
前記記憶手段は、会員の機器から受信した画像データを登録し、当該登録した画像データの撮影時の位置情報を記憶するＳＮＳサーバである請求項７から９のいずれか一項に記載のデータ処理装置。
【請求項１１】
前記再生データは、音声データである請求項１から６のいずれか一項に記載のデータ処理装置。
【請求項１２】
前記再生時間短縮手段は、前記重み付け手段により重み付けがなされたルートに応じて、当該ルート上で作成される前記再生データにおける当該重み付けの度合いが所定値よりも小さいデータ要素を再生時に飛ばすように設定する請求項１に記載のデータ処理装置。
【請求項１３】
前記重み付け手段は、前記ルートの各地点に対応する前記収集した位置情報の数が多いほど、当該ルート上の重み付けの度合いを大きくする請求項１から１２のいずれか一項に記載のデータ処理装置。
【請求項１４】
請求項１から１３のいずれか一項に記載のデータ処理装置と、
前記記憶手段と、を備えるデータ処理システム。
【請求項１５】
ユーザの移動経路の位置情報からなるルートを入手するルート入手工程と、
複数の過去の再生データの作成時の位置情報を記憶する記憶手段から、前記入手されたルートの近辺で作成された過去の再生データの位置情報を収集する収集工程と、
前記ルートの各地点に対応する前記収集した位置情報の数に応じて、当該ルート上の重み付けを行う重み付け工程と、
前記重み付けがなされたルートに応じて、当該ルート上で作成される複数のデータ要素からなる再生データにおける再生時間を短縮する再生時間短縮工程と、
を含む再生時間短縮方法。
【請求項１６】
コンピュータを、
ユーザの移動経路の位置情報からなるルートを入手するルート入手手段、
複数の過去の再生データの作成時の位置情報を記憶する記憶手段から、前記作成されたルートの近辺で作成された過去の再生データの位置情報を収集する収集手段、
前記ルートの各地点に対応する前記受信した位置情報の数に応じて、当該ルート上の重み付けを行う重み付け手段、
前記重み付けがなされたルートに応じて、当該ルート上で作成される複数のデータ要素からなる再生データにおける再生時間を短縮する再生時間短縮手段、
として機能させるためのプログラム。
【発明の詳細な説明】
【技術分野】
【０００１】
本発明は、データ処理装置、データ処理システム、再生時間短縮方法及びプログラムに関する。
【背景技術】
【０００２】
従来、静止画又は動画の撮影及び再生を行うデジタルカメラが知られている。近年、デジタルカメラは、電池寿命、撮影画像の圧縮効率が伸びており、長時間の動画撮影が可能になっている。このため、５時間等の長時間撮影した動画を再生してユーザが確認する場合に、撮影時間と同じ時間再生して確認するのは、ユーザの負担が大きく、結局撮影画像がお蔵入りになるおそれがあった。
【０００３】
このため、例えば、動画の再生を行う場合に、画像認識結果、撮影位置及び撮影時刻に基づいて、ユーザの所望のシーンで再生速度を落として通常速度とし、それ以外のシーンでは、早送りを行う動画像再生システムが知られている（特許文献１参照）。所望のシーンとは、特定被写体としての人物被写体及び構造物被写体の出現シーンである。
【先行技術文献】
【特許文献】
【０００４】
【特許文献１】特開２００５−２８６３７８号公報
【発明の概要】
【発明が解決しようとする課題】
【０００５】
しかし、特許文献１の動画像再生システムでは、ユーザが特定被写体を予め知っていて、且つ再生前にその特定被写体に関する情報を手動で設定しておかなくてはならない。このため、ユーザの設定操作の負担が大きい。
【０００６】
本発明の課題は、再生データの再生時間を短縮するとともに、ユーザの負担を低減することである。
【課題を解決するための手段】
【０００７】
上記課題を解決するために、本発明のデータ処理装置は、ユーザの移動経路の位置情報からなるルートを入手するルート入手手段と、複数の過去の再生データの作成時の位置情報を記憶する記憶手段から、前記入手されたルートの近辺で作成された過去の再生データの位置情報を収集する収集手段と、前記ルートの各地点に対応する前記収集した位置情報の数に応じて、当該ルート上の重み付けを行う重み付け手段と、前記重み付けがなされたルートに応じて、当該ルート上で作成される複数のデータ要素からなる再生データにおける再生時間を短縮する再生時間短縮手段と、を備える。
【発明の効果】
【０００８】
本発明によれば、再生データの再生時間を自動的に短縮できるとともに、ユーザの負担を低減できる。
【図面の簡単な説明】
【０００９】
【図１】本発明の第１の実施の形態の撮影システムの概略構成を示すブロック図である。
【図２】撮影装置の機能構成を示すブロック図である。
【図３】画像情報データベースの構成を示す図である。
【図４】（ａ）は、撮影装置処理を示すフローチャートである。（ｂ）は、撮影装置処理の第１の撮影処理を示すフローチャートである。
【図５】撮影装置処理の第１の再生処理を示すフローチャートである。
【図６】（ａ）は、第１〜第６の撮影地点を含むルートを示す図である。（ｂ）は、第１〜第６の撮影地点のフレーム画像を含む画像データを示す図である。
【図７】（ａ）は、地図上の登録画像の分布及びルートを示す図である。（ｂ）は、重み付け後のルートを示す図である。
【図８】（ａ）は、第１〜第６の撮影地点を含む重み付け後のルートを示す図である。（ｂ）は、第１〜第６の撮影地点のフレーム画像を含む画像データの再生時間を示す図である。
【図９】撮影装置処理の第２の撮影処理を示すフローチャートである。
【図１０】撮影装置処理の第２の再生処理を示すフローチャートである。
【発明を実施するための形態】
【００１０】
以下、添付図面を参照して本発明に係る第１、第２の実施の形態を順に詳細に説明する。なお、本発明は、図示例に限定されるものではない。
【００１１】
（第１の実施の形態）
図１〜図８を参照して、本発明の第１の実施の形態を説明する。先ず、図１及び図２を参照して、本実施の形態の装置構成を説明する。
【００１２】
図１を参照して、本実施の形態のデータ処理システムとしての撮影システム１００を説明する。図１は、撮影システム１００の概略構成を示すブロック図である。
【００１３】
図１に示すように、撮影システム１００は、記憶手段としてのＳＮＳ（Social Networking Service）サーバ１と、データ処理装置としての撮影装置２と、スマートフォン３と、を備える。ＳＮＳサーバ１は、インターネット等の通信ネットワークＮに接続されている。
【００１４】
ＳＮＳサーバ１は、Ｗｅｂ上でＳＮＳサービスを提供するサーバ装置である。このＳＮＳサービスの会員希望者は、通信ネットワークＮを介してＰＣ等の機器をＳＮＳサーバ１に接続し、会員登録を行う。ＳＮＳサービスの複数の会員には、撮影装置２のユーザが含まれるものとする。
【００１５】
このＳＮＳサービスでは、各会員がホームページを作成及び公開できるとともに、他の会員と友人関係を設定することができる。各ホームページには、本人又はその友人が各自の端末装置から、友人と撮影した集合写真、訪れた場所の風景画像等の撮影画像データをアップロード可能であり、それらの画像データが公開される。また、このＳＮＳサービスでは、複数の会員が所属するグループを会員が自在に設定登録できるものとする。本実施の形態におけるＳＮＳサービスのグループは、例えば、ユーザの移動及び撮影を伴う共通の趣味を有する会員のグループであるものとし、具体的には、カメラ、国内旅行、ハイキング、オートバイのツーリング等のグループである。
【００１６】
また、公開される画像データは、実画像データ部と、付加情報部と、を含む。実画像データ部は、画像の表示用の画像内容のデータである。付加情報部は、実画像データ部に付加する情報である。付加情報は、実画像データ部の画像の撮影位置情報、撮影日時情報を含む。
【００１７】
ＳＮＳサーバ１は、ＳＮＳサービスでアップロードされた画像データを登録し公開して管理しているとともに、当該画像データの付加情報及びアップロード元の会員情報に応じて、後述する画像情報データベース４０を記憶及び更新しているものとする。
【００１８】
撮影装置２は、静止画又は動画の画像を撮影可能な携帯型のデジタルカメラである。この動画撮影は、撮影時間とその通常再生時間とが同じとなる通常の動画撮影とするが、これに限定されるものではなく、３０秒等の所定の撮影間隔でフレーム画像を繰り返し撮影するインターバル撮影等としてもよい。また、撮影装置２は、ＧＰＳ（Global Positioning System）を用いた測位機能と、無線ＬＡＮ（Local Area Network）通信機能と、を有する。撮影装置２は、無線ＬＡＮ通信機能により、スマートフォン３と無線ＬＡＮ通信が可能である。
【００１９】
スマートフォン３は、通信ネットワークＮ上に設けられた基地局（図示略）との無線通信により、通信ネットワークＮ上の機器と通信を行う携帯電話通信機能を有するコンピュータの端末装置である。特に、スマートフォン３は、無線ＬＡＮ通信機能を有し、基地局を介する通信ネットワークＮ上のＳＮＳサーバ１等の機器と、無線ＬＡＮ通信先の撮影装置２等の機器と、の間の通信を中継するテザリング機能を有する。
【００２０】
撮影装置２のユーザは、撮影装置２をスマートフォン３とともに携帯することで、屋外の撮影地でも、携帯電話通信が可能な範囲で、通信ネットワークＮ上のＳＮＳサーバ１と通信することができる。
【００２１】
なお、撮影システム１００は、スマートフォン３を備える構成に限定されるものではなく、スマートフォン３に代えて、タブレットＰＣ（Personal Computer）、モバイルルータ等、他の中継機能を有する機器を備える構成としてもよい。また、撮影システム１００がスマートフォン３等の中継機器を備えず、撮影装置２が、携帯電話通信等により通信ネットワークＮ上の機器と通信する機能を有する構成としてもよい。
【００２２】
次いで、図２を参照して、撮影装置２の機能構成を説明する。図２は、撮影装置２の機能構成を示すブロック図である。
【００２３】
図２に示すように、撮影装置２は、ルート入手手段、重み付け手段、再生時間短縮手段としての中央制御部２０１と、メモリ２０２と、収集手段としての無線処理部２０３と、撮像部２０４と、画像データ処理部２０５と、再生データ取得手段としての記録媒体制御部２０６と、計時部２０７と、位置情報取得手段としてのＧＰＳ部２０８と、表示部２０９と、操作手段としての操作入力部２１０と、を備える。また、中央制御部２０１、メモリ２０２、無線処理部２０３、撮像部２０４、画像データ処理部２０５、記録媒体制御部２０６、計時部２０７、ＧＰＳ部２０８及び表示部２０９は、バスライン２１１を介して接続されている。
【００２４】
中央制御部２０１は、撮影装置２の各部を制御するものである。具体的には、中央制御部２０１は、例えば、図示は省略するが、ＣＰＵ（Central Processing Unit）、ＲＡＭ（Random Access Memory）、ＲＯＭ（Read Only Memory）を備え、ＲＯＭに記憶された撮影装置２用の各種処理プログラム（図示略）に従って各種の制御動作を行う。ＣＰＵがＲＯＭから各種プログラムを読み出してＲＡＭに展開し、展開したプログラムとＣＰＵとの協働により、中央制御部２０１は、各種処理を行う。その際に、ＣＰＵは、ＲＡＭ内の格納領域内に各種処理結果を格納させ、必要に応じてその処理結果を表示部２０９に表示させる。
【００２５】
ＲＡＭは、ＣＰＵにより実行される処理プログラム等を展開するためのプログラム格納領域や、入力データや上記処理プログラムが実行される際に生じる処理結果等を格納するデータ格納領域などを備える。ＲＯＭは、コンピュータ読み取り可能なプログラムコードの形態で格納されたプログラム、具体的には、撮影装置２で実行可能なシステムプログラム、当該システムプログラムで実行可能な各種処理プログラムや、これら各種処理プログラムを実行する際に使用されるデータ等を記憶する。ＲＯＭには、少なくとも後述する撮影装置処理プログラムが記憶されているものとする。
【００２６】
メモリ２０２は、例えば、ＤＲＡＭ等により構成され、中央制御部２０１等によって処理されるデータ等を一時記憶する。
【００２７】
無線処理部２０３は、スマートフォン３との間で所定の無線通信回線を介して無線通信を行う。具体的には、無線処理部２０３は、無線ＬＡＮモジュール２０３ａを具備している。
【００２８】
無線ＬＡＮモジュール２０３ａは、アンテナ、変復調回路、信号処理回路等を有し、例えば、スマートフォン３の無線ＬＡＮ通信部（図示略）との間で無線ＬＡＮ通信規格に従った無線通信を行う。
【００２９】
撮像部２０４は、被写体を撮像する。具体的には、撮像部２０４は、レンズ部２０４ａと、電子撮像部２０４ｂと、撮像制御部２０４ｃとを備えている。
【００３０】
レンズ部２０４ａは、例えば、ズームレンズやフォーカスレンズ等の複数のレンズから構成されている。電子撮像部２０４ｂは、例えば、ＣＣＤ（Charge Coupled Device）やＣＭＯＳ（Complementary Metal-oxide Semiconductor）等のイメージセンサから構成され、レンズ部２０４ａの各種レンズを通過した光学像を二次元の画像信号に変換する。なお、図示は省略するが、撮像部２０４は、レンズ部２０４ａを通過する光の量を調整する絞りを備えていても良い。
【００３１】
撮像制御部２０４ｃは、電子撮像部２０４ｂによる被写体の撮像を制御する。即ち、撮像制御部２０４ｃは、図示は省略するが、タイミング発生器、ドライバなどを備えている。そして、撮像制御部２０４ｃは、タイミング発生器、ドライバにより電子撮像部２０４ｂを走査駆動し、所定周期毎にレンズ部２０４ａにより結像された光学像を電子撮像部２０４ｂにより二次元の画像信号に変換させる。そして、撮像制御部２０４ｃは、当該電子撮像部２０４ｂの撮像領域から１画面分ずつフレーム画像を読み出して画像データ処理部２０５に出力させる。
【００３２】
画像データ処理部２０５は、被写体の画像データを生成する。即ち、画像データ処理部２０５は、撮像部２０４により撮像されるフレーム画像を逐次処理する。具体的には、画像データ処理部２０５は、電子撮像部２０４ｂから撮影間隔に応じた所定の周期毎に転送された各フレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。このように、撮像部２０４、画像データ処理部２０５は、中央制御部２０１とともに、再生データ作成手段として機能し、設定される撮影間隔に応じて撮影を行いフレーム画像を生成可能である。
【００３３】
また、画像データ処理部２０５は、各フレーム画像のＹＵＶデータを所定の符号化方式（例えば、静止画用のＪＰＥＧ方式、動画用のモーションＪＰＥＧ方式、ＭＰＥＧ方式等）に従って圧縮及び符号化して、記録媒体制御部２０６に出力する。
【００３４】
記録媒体制御部２０６は、記録媒体Ｍが着脱自在に構成され、装着された記録媒体Ｍからのデータの読み出しや記録媒体Ｍに対するデータの書き込みを制御する。即ち、記録媒体制御部２０６は、画像データ処理部２０５の符号化部（図示略）により所定の符号化方式で圧縮及び符号化された記録用の各フレーム画像の画像データを記録媒体Ｍの所定の記録領域に記録させる。なお、記録媒体Ｍは、例えば、不揮発性メモリ（フラッシュメモリ）等により構成されている。
【００３５】
計時部２０７は、図示は省略するが、例えば、計時回路等を備えて構成され、現在の日にち及び時刻を計時して日時情報を生成し中央制御部２０１に出力する。
【００３６】
ＧＰＳ部２０８は、アンテナ、復調回路、信号処理回路等を有し、当該アンテナによりＧＰＳ衛星からＧＰＳ信号を受信し、受信したＧＰＳ信号を用いて撮影装置２の現在の緯度経度情報を算出して中央制御部２０１に出力する。また、計時部２０７は、ＧＰＳ信号を受信し、ＧＰＳ信号中の時刻の情報を用いることで日時情報を計時することとしてもよい。
【００３７】
表示部２０９は、表示パネル２０９ａと、表示制御部２０９ｂとを具備している。表示パネル２０９ａは、表示画面内に画像を表示する。なお、表示パネル２０９ａとしては、例えば、液晶表示パネルや有機ＥＬ（ElectroLuminescence）表示パネルなどが挙げられるが、一例であってこれらに限られるものではない。
【００３８】
表示制御部２０９ｂは、メモリ２０２に一時的に格納されている表示用の画像データを読み出して、画像データ処理部２０５により復号された所定サイズの画像データに基づいて、所定の画像を表示パネル２０９ａの表示画面に表示させる制御を行う。具体的には、表示制御部２０９ｂは、ＶＲＡＭ（Video Random Access Memory）、ＶＲＡＭコントローラ、デジタルビデオエンコーダなど（何れも図示略）を備えている。そして、デジタルビデオエンコーダは、画像データ処理部２０５により復号されてＶＲＡＭに記憶されている輝度信号Ｙ及び色差信号Ｃｂ，Ｃｒを、ＶＲＡＭコントローラを介してＶＲＡＭから所定の再生フレームレート（例えば、３０ｆｐｓ）で読み出して、これらのデータを元にビデオ信号を発生して表示パネル２０９ａに出力する。また、表示制御部２０９ｂは、中央制御部２０１により記録媒体Ｍに記憶されている静止画又は動画の画像データが読み出され、画像データ処理部２０５により復号された当該画像データに基づいて、所定の画像を表示パネル２０９ａの表示画面に表示（再生）させる制御を行う。このように、表示部２０９は、中央制御部２０１とともに、再生手段として機能する。
【００３９】
操作入力部２１０は、当該撮影装置２の所定操作を行うためのものであり、例えば、装置本体の電源のＯＮ／ＯＦＦに係る電源ボタン、被写体の静止画撮影指示に係るシャッタボタン、同じく動画撮影指示に係るムービーボタン、撮像モードや機能等の選択指示に係る選択決定ボタン、ズーム量の調整指示に係るズームボタン（何れも図示略）等を備えている。そして、操作入力部２１０は、各ボタンの操作に応じて所定の操作信号を中央制御部２０１に出力する。
【００４０】
次に、図３を参照して、ＳＮＳサーバ１に記憶される画像情報データベース４０を説明する。図３は、画像情報データベース４０の構成を示す図である。
【００４１】
画像情報データベース４０は、画像ＩＤ４１と、グループＩＤ４２と、会員ＩＤ４３と、位置情報４４と、撮影日時４５と、を有する。画像ＩＤ４１は、ＳＮＳサーバ１にアップロードされてＳＮＳサービスで登録及び公開された画像データ（以下、登録画像とする）の識別情報である。画像ＩＤ４１には、画像データの属性情報を含めるものとする。画像の属性情報とは、例えば、静止画又は動画を示す情報である。なお、画像ＩＤ４１は、登録画像のフレーム画像の識別情報とする構成としてもよい。
【００４２】
グループＩＤ４２は、画像ＩＤ４１の登録画像のアップデート元の会員が所属するグループの識別情報である。会員ＩＤ４３は、画像ＩＤ４１の登録画像のアップデート元の会員の識別情報である。位置情報４４は、画像ＩＤ４１の登録画像に含まれる撮影位置の緯度経度の情報である。撮影日時４５は、画像ＩＤ４１の登録画像に含まれる撮影日時の情報である。
【００４３】
ＳＮＳサーバ１は、撮影装置２から、画像情報データベース４０の画像情報要求を受信した場合に、画像情報データベース４０を読み出して、画像情報要求に応じた画像情報を作成して、要求元の撮影装置２に送信する。画像情報は、登録画像の画像ＩＤ及び撮影位置情報であり、画像内容そのものは含まない。画像情報要求には、取得対象とする画像情報の条件情報を含むものとする。条件情報は、例えば、撮影装置２のユーザが所属するグループのグループＩＤと、撮影装置２のユーザが移動するルートの情報と、を有する。
【００４４】
次いで、図４〜図８を参照して、撮影システム１００の動作を説明する。先ず、図４及び図５を参照して、撮影装置２で実行される撮影装置処理を説明する。図４（ａ）は、撮影装置処理を示すフローチャートである。図４（ｂ）は、撮影装置処理の第１の撮影処理を示すフローチャートである。図５は、撮影装置処理の第１の再生処理を示すフローチャートである。
【００４５】
撮影装置２で実行される撮影装置処理は、被写体を撮影し、また撮影した画像を再生する処理である。撮影装置２において、例えば、電源オンされたことをトリガとして、中央制御部２０１が、撮影装置処理プログラムに従い、撮影装置処理を実行する。
【００４６】
図４（ａ）に示すように、先ず、中央制御部２０１は、撮影装置２の設定中の動作モードに応じて、イニシャライズ処理を行う（ステップＳ１１）。撮影装置２の動作モードは、撮影モード、再生モード、各種設定を行う設定モード等があるものとする。
【００４７】
そして、中央制御部２０１は、現在の動作モードが、何であるかを判別する（ステップＳ１２）。撮影モードである場合（ステップＳ１２；撮影モード）、中央制御部２０１は、後述する撮影処理を実行し（ステップＳ１３）、ステップＳ１１に移行する。再生モードである場合（ステップＳ１２；再生モード）、中央制御部２０１は、後述する再生処理を実行し（ステップＳ１４）、ステップＳ１１に移行する。
【００４８】
その他の動作モードである場合（ステップＳ１２；その他）、中央制御部２０１は、その他の処理を実行し（ステップＳ１５）、ステップＳ１１に移行される。ステップＳ１５のその他の処理は、設定モードにおける操作入力部２１０を介するユーザからの操作情報入力受付及び入力された操作情報に基づく各種設定処理や、操作入力部２１０を介するユーザからの動作モードの選択操作入力受付及び操作された動作モードへの切替処理等を含む。
【００４９】
図４（ｂ）を参照して、図４（ａ）のステップＳ１３の撮影処理としての第１の撮影処理を説明する。先ず、中央制御部２０１は、操作入力部２１０を介してユーザから撮影指示の入力を受け付け、当該撮影指示が入力されたか否かを判別する（ステップＳ２１）。ステップＳ２１では、静止画撮影の場合、操作入力部２１０のシャッタボタンが押下されたか否かが判別され、動画撮影の場合、操作入力部２１０の撮影開始のためのムービーボタンが押下されたか否かが判別される。
【００５０】
撮影指示が入力されていない場合（ステップＳ２１；ＮＯ）、第１の撮影処理が終了する。撮影指示が入力された場合（ステップＳ２１；ＹＥＳ）、中央制御部２０１は、画像撮影として、ＧＰＳ部２０８により現在位置情報を取得し、計時部２０７により現在日時情報を取得し、撮像部２０４及び画像データ処理部２０５に画像の撮像及び画像データ生成を行わせ、生成された画像データに当該現在位置情報及び現在日時情報を付加し、記録媒体制御部２０６に当該画像データを記録媒体Ｍへ記憶させ（ステップＳ２２）、第１の撮影処理を終了する。
【００５１】
ステップＳ２２で動画撮影の場合、操作入力部２１０の撮影終了のためのムービーボタンが押下されるまで、撮影が続行される。このとき、現在位置情報及び現在日時情報の取得も繰り返され、フレームごとに撮影時の現在位置情報及び現在日時情報が画像データに付加され、最終的に、１つの動画の画像データとして記憶される。また、現在位置情報及び現在日時情報は、撮影位置情報及び撮影日時情報として画像データに付加される。
【００５２】
図５を参照して、図４（ａ）のステップＳ１４の再生処理としての第１の再生処理を説明する。第１の再生処理では、１枚の静止画の画像データの表示と、複数枚の静止画の画像データのスライドショー再生と、１又は複数の動画の画像データの再生と、のいずれかが行われる。
【００５３】
先ず、中央制御部２０１は、操作入力部２１０を介してユーザから、記録媒体Ｍに記憶されている静止画又は動画の画像データのうち、再生対象の１枚若しくは複数枚の静止画、又は１つ若しくは複数の動画の画像データの選択入力を受け付け、再生対象の画像データが選択されたか否かを判別する（ステップＳ３１）。再生対象の画像データが選択されていない場合（ステップＳ３１；ＮＯ）、第１の再生処理が終了する。
【００５４】
再生対象の画像データが選択された場合（ステップＳ３１；ＹＥＳ）、中央制御部２０１は、ステップＳ３１で選択された画像データが、１枚の静止画の画像データであるか否かを判別する（ステップＳ３２）。１枚の静止画の画像データが選択された場合（ステップＳ３２；ＹＥＳ）、中央制御部２０１は、記録媒体制御部２０６によりステップＳ３１で選択された画像データを記録媒体Ｍから読み出して、表示部２０９に１枚の静止画として表示させ（ステップＳ３３）、第１の再生処理を終了する。ステップＳ３３では、画像データの表示時間は、例えば表示開始から、操作入力部２１０に、ユーザから表示終了指示があるまでの表示時間である。
【００５５】
１枚の静止画の画像データが選択されていない場合（ステップＳ３２；ＮＯ）、中央制御部２０１は、ステップＳ３１で選択された画像データを記録媒体Ｍから読み出し、その画像データに付加された撮影位置情報及び撮影日時情報を読み出し、撮影位置情報を時系列に結び、撮影位置の間を適宜補間したルートを作成する（ステップＳ３４）。ステップＳ３４では、例えば、中央制御部２０１が、無線処理部２０３により、スマートフォン３を介して通信ネットワークＮ上の地図データサーバ（図示略）から地図データをダウンロードし、地図データ上の撮影位置情報を通るルートであって、選択分の最初の撮影位置を始点とし、同じく最後の撮影位置を終点とするルートを作成する。
【００５６】
そして、中央制御部２０１は、ステップＳ３４で作成されたルート付近の画像情報についての画像情報要求を作成して、無線処理部２０３により、スマートフォン３を介してＳＮＳサーバ１に送信し、ＳＮＳサーバ１から送信された画像情報を受信する（ステップＳ３５）。ステップＳ３５では、画像情報要求に条件情報が含められる。条件情報は、例えば、ステップＳ３４で作成されたルートの各地点の位置情報と、ステップＳ３５で操作入力部２１０を介してユーザから入力された画像情報の対象となるグループＩＤと、を有する。このとき、ＳＮＳサーバ１は、画像情報データベース４０から、画像情報要求のグループＩＤ４２に対応し、且つルートの近辺としてルートの各地点から所定距離内の位置情報４４及びその画像ＩＤ４１を画像情報として撮影装置２に送信する。なお、ルートの近辺とは、これに限定されず、例えば、ルートを適切な大きさで含む矩形領域としてもよい。
【００５７】
そして、中央制御部２０１は、ステップＳ３５で受信された画像情報に基づいて、ステップＳ３４で作成したルートに対応する登録画像の数に応じて、そのルート上の各地点に対応する登録画像の数が多いほど度合いを大きくする重み付けを行う（ステップＳ３６）。ステップＳ３６では、例えば、ルート上の各地点を中心とする同心円等の領域中の登録画像の数に応じて、重み付けが行われる。
【００５８】
そして、中央制御部２０１は、ステップＳ３６でなされた重み付けの結果に応じて、重み付けの度合いが小さいほど表示時間が短くなるように、ステップＳ３１で選択された画像データの各フレーム画像の表示時間を設定する（ステップＳ３７）。そして、中央制御部２０１は、ステップＳ３７で設定された表示時間に応じて、ステップＳ３１で選択された画像データの各フレーム画像を撮影日時情報順に表示部２０９に表示して再生開始させる（ステップＳ３８）。
【００５９】
そして、中央制御部２０１は、操作入力部２１０を介してユーザから再生の停止指示が入力されたか否かを判別する（ステップＳ３９）。再生の停止指示が入力されない場合（ステップＳ３９；ＮＯ）、中央制御部２０１は、ステップＳ３８で開始された再生を続行し（ステップＳ４０）、ステップＳ３９に移行する。再生の停止指示が入力された場合（ステップＳ３９；ＹＥＳ）、中央制御部２０１は、ステップＳ３８で開始された再生を停止し（ステップＳ４１）、第１の再生処理を終了する。
【００６０】
ここで、図６〜図８を参照して、本実施の形態の撮影装置処理の具体例を説明する。図６（ａ）は、撮影地点Ｐ１〜Ｐ６を含むルートＲ６００を示す図である。図６（ｂ）は、撮影地点Ｐ１〜Ｐ６のフレーム画像を含む画像データ５００を示す図である。図７（ａ）は、地図上の登録画像の分布及びルートＲ６００を示す図である。図７（ｂ）は、重み付け後のルートＲ６００を示す図である。図８（ａ）は、撮影地点Ｐ１〜Ｐ６を含む重み付け後のルートＲ６００を示す図である。図８（ｂ）は、撮影地点Ｐ１〜Ｐ６のフレーム画像を含む画像データ５００の再生時間を示す図である。
【００６１】
撮影装置処理の具体例として、所定のルートをユーザが徒歩で移動しながら撮影装置２により動画を撮影し、撮影終了後に、撮影した動画の再生を行うケースを考える。図６（ａ）に示すように、ユーザがルートＲ６００の始点Ｐ０で撮影装置２により動画の撮影を開始し、ルートＲ６００上を移動しながら撮影を継続し、撮影地点Ｐ１，Ｐ２，Ｐ３，Ｐ４，Ｐ５，Ｐ６を時系列で順に通過し、終点Ｐ７で動画の撮影を終了する。
【００６２】
このとき、図４（ｂ）の第１の撮影処理のステップＳ２２において、始点Ｐ０から終点Ｐ７までの動画が撮影されて、当該動画の画像データ５００が記録媒体Ｍに記憶される。図６（ｂ）に示すように、画像データ５００は、撮影地点Ｐ１，Ｐ２，Ｐ３，Ｐ４，Ｐ５，Ｐ６で撮像されたフレーム画像５０１，５０２，５０３，５０４，５０５，５０６を時系列順に含む。なお、画像データ５００は、フレーム画像５０１，５０２，５０３，５０４，５０５，５０６を含む全フレーム画像の撮影位置情報及び撮影日時情報を含む。
【００６３】
そして、例えば終点Ｐ７で、図５の第１の再生処理が実行される。ステップＳ３１において、再生対象として画像データ５００が選択されたものとする。ステップＳ３４において、画像データ５００の各フレームの撮影位置情報及び撮影日時情報から、図７（ａ）に示すルートＲ６００が作成される。
【００６４】
そして、ステップＳ３５において、ルートＲ６００の位置情報と、ユーザが所属するグループのグループＩＤと、を条件情報として含む画像情報要求がＳＮＳサーバ１に送信され、ルートＲ６００近辺の画像情報がＳＮＳサーバ１から受信される。受信した画像情報の各登録画像の位置情報に対応する分布は、図７（ａ）の地図上の登録画像Ｆ１の分布に対応するものとする。
【００６５】
そして、ステップＳ３６において、ルートＲ６００上を、始点Ｐ０から終点Ｐ７まで、経路上の点を動かしていき、経路上の各点付近の（例えば同心円内に含まれる）登録画像Ｆ１の数に応じて、ルートＲ６００が４段階に重み付けされる。登録画像Ｆ１の数が少なく重み付けの度合いが小さいものから順に、重み付け段階１，２，３，４とする。ルートＲ６００は、進行した時系列順に、ルートＲ６０１〜Ｒ６１５からなる。ルートＲ６０１，Ｒ６０３，Ｒ６０５，Ｒ６０７，Ｒ６０９，Ｒ６１１，Ｒ１３，Ｒ６１５は、重み付け段階が１である。ルートＲ６０２，Ｒ６０４，Ｒ６０８，Ｒ６１２，Ｒ６１４は、重み付け段階が２である。ルートＲ６１０は、重み付け段階が３である。ルートＲ６０６は、重み付け段階が４である。
【００６６】
図８（ａ）に示すように、撮影地点Ｐ１がルートＲ６０４にあり、撮影地点Ｐ２がルートＲ６０６にあり、撮影地点Ｐ３がルートＲ６０９にあり、撮影地点Ｐ４がルートＲ６１０にあり、撮影地点Ｐ５がルートＲ６１１にあり、撮影地点Ｐ６がルートＲ６１２にある。
【００６７】
そして、ステップＳ３７において、重み付け段階が４であるフレーム画像の表示時間を最も長くして、動画の再生速度が通常再生速度に設定される。重み付け段階が３であるフレーム画像の表示時間を３番目に短くして、動画の再生速度が早送り小に設定される。重み付け段階が２であるフレーム画像の表示時間を２番目に短くして、動画の再生速度が早送り中に設定される。重み付け段階が１であるフレーム画像の表示時間を最も短くして、動画の再生速度が早送り大に設定される。
【００６８】
そして、ステップＳ３８〜Ｓ４１において、画像データ５００が再生される。図８（ｂ）に示すように、撮影地点Ｐ１を含む部分が早送り中で再生され、撮影地点Ｐ２を含む部分が通常再生速度で再生され、撮影地点Ｐ３を含む部分が早送り大で再生され、撮影地点Ｐ４を含む部分が早送り小で再生され、撮影地点Ｐ５を含む部分が早送り大で再生され、撮影地点Ｐ６を含む部分が早送り中で再生される。重み付け段階が１〜３は、再生速度が早送りとなるので、画像データ５００を通常速度で再生する場合に比べて、第１の再生処理では短い再生時間で再生される。例えば、画像データ５００が５時間にわたり撮影された場合に、第１の再生処理では１５分で再生される。
【００６９】
以上、本実施の形態によれば、撮影装置２は、ユーザの移動経路の位置情報からなるルートを作成し、複数の過去の登録画像の撮影時の位置情報を記憶するＳＮＳサーバ１から、作成されたルートの近辺で撮影された過去の登録画像の位置情報を受信する。そして、撮影装置２は、ルートの各地点に対応する受信した位置情報の数に応じて、ルート上の重み付けを行い、重み付けがなされたルートに応じて、ルート上で作成される複数のフレーム画像からなる画像データにおける重み付けの度合いが小さいフレーム画像ほど再生速度を大きく（表示時間を短く）設定して再生時間を短縮する。
【００７０】
このため、ルート上で撮影した画像データの重要でないシーンの再生速度を大きくし、画像データの再生時間を自動的に短縮できるとともに、ルートを自動的に作成して過去の登録画像の位置情報から自動的に重み付けを行い、従来技術のように特定被写体に関する情報を手動で設定する必要がないので、ユーザの負担を低減できる。
【００７１】
また、撮影装置２は、ルートの各地点に対応する登録画像の位置情報の数が多いほど、ルート上の重み付けの度合いを大きくする。このため、過去に撮影された数が多い位置ほど有名で重要なシーンとして再生速度を小さくして画像データを再生できる。
【００７２】
また、撮影装置２は、第１の撮影処理において、位置情報を取得するＧＰＳ部２０８を備え、撮影により画像データを作成し、当該画像データの各フレーム画像の撮影時に対応する前記取得された位置情報を当該撮影された画像データに付加して対応付けて記録媒体Ｍに記憶する。撮影装置２は、第１の再生処理において、撮影され、位置情報が対応付けられた画像データを記録媒体Ｍから読み出して取得し、当該画像データに対応付けられた位置情報に基づいて、ルートを作成する。このため、通常撮影された画像データの再生時にその再生時間を短縮できるとともに、当該画像データを通常再生に用いることもできる。また、後述する第２の実施の形態に比べて、撮影装置２の撮影処理の処理負担を低減できる。
【００７３】
また、撮影装置２は、設定された再生速度（各フレーム画像の表示時間）に応じて、画像データを表示部２０９に再生する。このため、画像データの撮影及び再生を同一の撮影装置２で行うことができる。特に、撮影装置２は、携帯機器であるので、屋外等の位置への携帯が容易であり、画像データを撮影した位置やその近辺で、容易に再生を行うことができる。
【００７４】
また、ＳＮＳサーバ１は、会員の機器から送信された画像データを登録及び公開し、登録画像の撮影時の位置情報を記憶する。このため、ＳＮＳサーバ１に蓄積されたＳＮＳサービスにおける過去の登録画像の撮影時の位置情報を容易にルートの重み付けに利用できる。
【００７５】
（第２の実施の形態）
図９及び図１０を参照して、本発明に係る第２の実施の形態を説明する。図９は、撮影装置処理の第２の撮影処理を示すフローチャートである。図１０は、撮影装置処理の第２の再生処理を示すフローチャートである。
【００７６】
上記第１の実施の形態では、画像データの再生時に、ルートの重み付けに対応する表示時間を設定し画像データを再生する構成としたが、本実施の形態では、画像データの撮影時に、ルートの重み付けに対応する表示時間又は撮影間隔を設定する構成である。
【００７７】
本実施の形態の装置構成としては、上記第１の実施の形態と同様に、撮影システム１００を用いるものとする。撮影システム１００の撮影装置２の中央制御部２０１のメモリには、撮影装置処理プログラムが記憶されるものとする。但し、撮影装置処理プログラムは、図４（ａ）の撮影装置処理の撮影処理として、図９の第２の撮影処理を実行し、同じく撮影装置処理の再生処理として、図１０の第２の再生処理を実行するものとする。
【００７８】
次に、本実施の形態の撮影システム１００の動作を説明する。上記のように、上記第１の実施の形態と異なる第２の撮影処理、第２の再生処理を順に説明する。
【００７９】
図９を参照して、第２の撮影処理を説明する。第２の撮影処理の前提として、図４（ａ）のステップＳ１５のその他の処理の設定モードにおいて、撮影モードの撮影方式を、動画を自動的に撮影する自動撮影とするか否かの設定と、複数の静止画のスライドショーの再生時間を短縮する画像データ又は動画の再生時間を短縮する画像データとしてのダイジェストを作成するか否かの設定と、を行うことが可能とする。
【００８０】
先ず、中央制御部２０１は、設定モードの設定に基づき、撮影方式が自動撮影であるか否かを判別する（ステップＳ５１）。自動撮影でない場合（ステップＳ５１；ＮＯ）、ステップＳ５２，Ｓ５３が実行される。ステップＳ５２，Ｓ５３は、図４（ｂ）のステップＳ２１，Ｓ２２と同様である。但し、ステップＳ５３では、静止画の撮影の場合に、複数回の撮影により、静止画の画像データを複数作成することとしてもよい。
【００８１】
そして、中央制御部２０１は、設定モードの設定に基づき、ダイジェストを作成するか否かを判別する（ステップＳ５４）。ダイジェストを作成しない場合（ステップＳ５４；ＮＯ）、第２の撮影処理が終了する。ダイジェストを作成する場合（ステップＳ５４；ＹＥＳ）、中央制御部２０１は、記録媒体制御部２０６により記録媒体Ｍに記憶された全ての画像データを読み出し、ステップＳ５３で撮影された全ての静止画の画像データ、又はステップＳ５３で撮影された動画の画像データに含まれる全てのフレーム画像が、ｎ（ｎ：所定の整数）枚未満か否かを判別する（ステップＳ５５）。ｎ枚とは、ルートが作成できる最低限のフレーム画像の枚数とする。
【００８２】
フレーム画像がｎ枚未満である場合（ステップＳ５５；ＹＥＳ）、第２の撮影処理が終了する。フレーム画像がｎ枚以上である場合（ステップＳ５５；ＮＯ）、中央制御部２０１は、ステップＳ５６，Ｓ５７，Ｓ５８，Ｓ５９を実行する。ステップＳ５６，Ｓ５７，Ｓ５８，Ｓ５９は、図５の第１の再生処理のステップＳ３４，Ｓ３５，Ｓ３６，Ｓ３７において、選択された再生対象の画像データに代えて、ステップＳ５５で判別の対象となった画像データとする処理となる。
【００８３】
そして、中央制御部２０１は、ステップＳ５９で設定された画像データの各フレーム画像の表示時間を当該画像データに付加してダイジェストの画像データを作成し、記録媒体制御部２０６により当該ダイジェストの画像データを記録媒体Ｍに記憶する（ステップＳ６０）。そして、中央制御部２０１は、記録媒体制御部２０６により、ステップＳ５９で作成されたダイジェストの画像データに対応する元画像データを記録媒体Ｍから消去し（ステップＳ６１）、第２の撮影処理を終了する。
【００８４】
自動撮影である場合（ステップＳ５１；ＹＥＳ）、中央制御部２０１は、操作入力部２１０を介してユーザからルート作成の操作入力を受け付け、当該ルート作成の操作が入力されたか否かを判別する（ステップＳ６２）。ステップＳ６２では、例えば、中央制御部２０１は、無線処理部２０３により、スマートフォン３を介して通信ネットワークＮ上の地図データサーバ（図示略）から地図データをダウンロードして表示部２０９に表示し、操作入力部２１０を介してユーザからの地図データ上の所望のルートの各地点の位置入力操作を受け付ける。その後、ユーザは、作成の操作をしたルートの始点に移動し、ルート上を始点から終点まで移動する。
【００８５】
ルート作成の操作が入力されていない場合（ステップＳ６２；ＮＯ）、中央制御部２０１は、ルートを作成済であるか否かを判別する（ステップＳ６３）。ルートを作成済でない場合（ステップＳ６３；ＮＯ）、第２の撮影処理を終了する。
【００８６】
ルート作成の操作が入力された場合（ステップＳ６２；ＹＥＳ）、中央制御部２０１は、ステップＳ６２で入力されたルート作成の操作に応じて、ルートを作成し、メモリ２０２に記憶する（ステップＳ６４）。そして、中央制御部２０１は、ステップＳ６５，Ｓ６６を実行する。ステップＳ６５，Ｓ６６は、図５の第１の再生処理のステップＳ３５，Ｓ３６と同様の処理である。ステップＳ６６で、重み付けされたルートは、メモリ２０２に記憶される。なお、ルートは、記録媒体Ｍに記憶されることとしてもよい。
【００８７】
そして、中央制御部２０１は、ＧＰＳ部２０８から現在位置情報を取得し、現在位置情報がメモリ２０２に記憶されたルートの始点に一致し、ルートの始点に到着したか否かを判別する（ステップＳ６７）。ルートを作成済である場合（ステップＳ６３；ＹＥＳ）、ステップＳ６７に移行される。ルートの始点に到着していない場合（ステップＳ６７；ＮＯ）、第２の撮影処理が終了する。
【００８８】
ルートの始点に到着した場合（ステップＳ６７；ＹＥＳ）、中央制御部２０１は、ＧＰＳ部２０８から現在位置情報を取得し、現在位置情報と、メモリ２０２に記憶されたルートの重み付けと、に応じて、現在位置情報の重み付けの度合いが小さいほどフレーム画像の撮影間隔が長くなるように、撮影間隔を設定し、自動撮影として、撮像部２０４及び画像データ処理部２０５に画像の撮像及び画像データ生成を行わせ、記録媒体制御部２０６に当該画像データを記録媒体Ｍへ記憶させる（ステップＳ６８）。
【００８９】
そして、中央制御部２０１は、ＧＰＳ部２０８から現在位置情報を取得し、現在位置情報がメモリ２０２に記憶されたルートの終点に一致し、ルートの終点に到着したか否かを判別する（ステップＳ６９）。ルートの終点に到着していない場合（ステップＳ６９；ＮＯ）、中央制御部２０１は、操作入力部２１０を介してユーザから自動撮影停止の入力を受け付け、当該自動撮影停止が入力されたか否かを判別する（ステップＳ７０）。
【００９０】
自動撮影停止が入力されていない場合（ステップＳ７０；ＮＯ）、ステップＳ６８に移行される。自動撮影停止が入力された場合（ステップＳ７０；ＹＥＳ）、中央制御部２０１は、撮像部２０４及び画像データ処理部２０５に、撮影中の自動撮影を停止させ（ステップＳ７１）、第２の撮影処理を終了する。ルートの終点に到着した場合（ステップＳ６９；ＹＥＳ）、ステップＳ７１に移行される。
【００９１】
次いで、図１０を参照して、第２の再生処理を説明する。先ず、中央制御部２０１は、ステップＳ８１，Ｓ８２，Ｓ８３を実行する。ステップＳ８１，Ｓ８２，Ｓ８３は、図５の第１の再生処理のステップＳ３１，Ｓ３２，Ｓ３３と同様である。１枚の静止画の画像データが選択されていない場合（ステップＳ８２；ＮＯ）、中央制御部２０１は、ステップＳ８１で選択された画像データに付加された表示時間があるか否かを判別する（ステップＳ８４）。表示時間がある場合（ステップＳ８４；ＹＥＳ）、中央制御部２０１は、ステップＳ８１で選択された画像データに付加された表示時間に応じて、当該画像データの各フレーム画像を撮影日時情報順に表示部２０９に表示して再生開始させる（ステップＳ８５）。
【００９２】
表示時間がない場合（ステップＳ８４；ＮＯ）、中央制御部２０１は、ステップＳ８１で選択された画像データを表示部２０９に表示して通常再生開始させる（ステップＳ８６）。そして、中央制御部２０１は、ステップＳ８７，Ｓ８８，Ｓ８９を実行する。ステップＳ８７，Ｓ８８，Ｓ８９は、図５の第１の再生処理のステップＳ３９，Ｓ４０，Ｓ４１と同様である。
【００９３】
以上、本実施の形態によれば、上記第１の実施の形態と同様に、ルート上で撮影した画像データの重要でないシーンの再生速度を大きくし、画像データの再生時間を自動的に短縮できるとともに、ルートを自動的に作成して過去の登録画像の位置情報から自動的に重み付けをして、ユーザの負担を低減できる。さらに、撮影装置２は、位置情報を取得するＧＰＳ部２０８を備え、撮影により画像データを作成し、当該画像データの各フレーム画像の撮影時に対応する前記取得された位置情報を当該画像データに対応付け、作成された画像データに対応付けられた位置情報に基づいて、ルートを作成する。このため、画像データの撮影時にその再生時間を短縮できるとともに、上記第１の実施の形態に比べて、撮影装置２の再生処理の処理負担を低減できる。
【００９４】
また、撮影装置２は、撮影された画像データに、設定した再生速度としての表示時間を付加して対応付ける。このため、撮影された画像データを、対応付けられた表示時間に基づき再生することでその再生時間を短縮できる。
【００９５】
また、撮影装置２は、自動撮影時に、重み付けがなされたルートに応じて、当該ルート上で撮影される画像データにおける当該重み付けの度合いが小さいフレーム画像ほど撮影間隔を長く設定し、ＧＰＳ部２０８で取得された現在位置情報と設定された撮影間隔とに応じて、撮像部２０４及び画像データ処理部２０５の撮影により画像データを作成する。このため、撮影された画像データを通常再生することでその再生時間を短縮できる。
【００９６】
また、撮影装置２は、自動撮影時に、操作入力部２１０によりルートの作成操作を受け付け、ルートの作成操作に基づいて、ルートを作成する。このため、ユーザがこれから撮影を行うルートを自在に設定できる。
【００９７】
なお、本発明は、上記実施の形態に限定されることなく、本発明の趣旨を逸脱しない範囲において、種々の改良並びに設計の変更を行っても良い。
【００９８】
例えば、上記第１、第２の実施の形態において、撮影装置２が、画像データの全体の再生時間をユーザ入力により予め設定しておき、設定した再生時間となるように、当該画像データの各フレーム画像の表示時間を適宜調整する構成としてもよい。
【００９９】
また、上記第１、第２の実施の形態において、撮影装置２で、再生データとしての画像データの撮影及び再生を行う構成としたが、これに限定されるものではない。上記第１、第２の実施の形態と同様にして、録音装置で、再生データとしての音声データの録音及び再生を行う構成としてもよい。音声データは、単位時間ごとのデータ要素に分割され、データ要素ごとに録音位置情報及び録音日時情報が付加される。また、再生データとしては、音声データを含む動画の画像データとしてもよい。
【０１００】
また、上記第１、第２の実施の形態において、撮影装置２が、ルートの各地点に対応する登録画像の位置情報の数が多いほど、ルート上の重み付けの度合いを大きくする構成としたが、これに限定されるものではない。撮影装置２が、ルートの各地点に対応する登録画像の位置情報の数が少ないほど、ルート上の重み付けの度合いを大きくする構成としてもよい。この構成では、過去に撮影された数が少ない位置ほど貴重で重要なシーンとして再生速度を小さくして画像データを再生できる。
【０１０１】
また、上記第１、第２の実施の形態では、撮影装置２で画像データの撮影及び再生を行う構成としたが、これに限定されるものではない。撮影装置２で撮影処理のみを行い、撮影した画像データをＰＣ等の画像処理装置に入力し、当該画像処理装置で再生処理を実行する構成としてもよい。
【０１０２】
また、上記第１、第２の実施の形態では、画像情報要求に含まれる条件情報が、グループＩＤと、ルートと、を有する構成としたが、これに限定されるものではない。条件情報が、計時部２０７で計時された現在日時情報を含み、ＳＮＳサーバ１が、現在日時情報から所定期間内（例えば、３か月以内）の撮影日時の登録画像に対応する画像情報を撮影装置２に送信する構成としてもよい。
【０１０３】
また、上記第１、第２の実施の形態において、撮影装置２が、撮影装置処理で撮影された画像データを、ＳＮＳサービスに登録及び公開するように、ＳＮＳサーバ１にアップロードする構成としてもよい。
【０１０４】
また、上記第１、第２の実施の形態において、ルートの重み付けは、ルートの各地点に対応する登録画像の数を一律に集計して用いる構成としたが、これに限定されるものではない。登録画像に応じて予め設定された係数を、集計した数に乗算する構成としてもよい。例えば、登録画像のフレーム画像の数でルートを重み付けする構成とし、登録画像が動画である場合に、係数を小さくし、登録画像が静止画である場合に、係数を大きくする構成としてもよい。また、登録画像の位置情報がルートの地点から離れるほど、係数を小さくする構成としてもよい。
【０１０５】
また、上記第１、第２の実施の形態において、撮影装置２が、第１の再生処理又は第２の撮影処理で、撮影した画像データの位置情報からルートを自動的に作成したり、ユーザの操作入力によりルートを作成することにより、ルートを入手する構成としたが、これに限定されるものではない。ユーザ操作等により予め作成されたルートが、撮影装置２の記録媒体Ｍや、通信ネットワークＮ上の機器に記憶されており、第１の再生処理又は第２の撮影処理で、撮影装置２が、記録媒体Ｍからルートを読み出したり、あるいは通信ネットワークＮ上の機器からルートを受信することにより、ルートを入手する構成としてもよい。
【０１０６】
また、上記第１、第２の実施の形態において、撮影装置２は、第１の再生処理又は第２の撮影処理で、登録画像の位置情報を画像情報としてＳＮＳサーバ１から受信して収集する構成としたが、これに限定されるものではない。撮影装置２が、予め登録画像の位置情報をＳＮＳサーバ１から受信して記録媒体Ｍに記憶しておき、第１の再生処理又は第２の撮影処理で、記録媒体Ｍから登録画像の位置情報を読み出して収集する構成としてもよい。
【０１０７】
また、上記第１、第２の実施の形態において、撮影装置２は、重み付けがなされたルートに応じて、画像データのフレーム画像の表示時間を短くすること又は撮影間隔を長くすることにより、画像データのフレーム画像の再生速度を大きく設定して再生時間を短縮する構成としたが、これに限定されるものではない。撮影装置２は、重み付けがなされたルートに応じて、画像データの重み付けの度合いが所定値以下のフレーム画像を再生時に飛ばす（画像データの再生時に、所定値以下のフレーム画像を再生しない）設定を行うことにより、画像データの再生時間を短縮する構成としてもよい。この構成によれば、上記第１、第２の実施の形態と同様に、ルート上で撮影した画像データの重要でないシーンを飛ばして再生して、画像データの再生時間を自動的に短縮できる。
【０１０８】
また、上記各実施の形態にあっては、撮影装置処理を中央制御部２０１がプログラムにより実行する構成としたが、これに限定されるものではない。撮影装置２が、撮影装置処理と同様の処理を行うロジック回路等の専用回路を備える構成としてもよい。
【０１０９】
さらに、上記各実施の形態の各処理を実行するためのプログラムを格納したコンピュータ読み取り可能な媒体として、ＲＯＭを挙げたが、この他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【０１１０】
また、上記各実施の形態における撮影システム１００の各構成要素の細部構成及び細部動作に関しては、本発明の趣旨を逸脱することのない範囲で適宜変更可能であることは勿論である。
【０１１１】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザの移動経路の位置情報からなるルートを入手するルート入手手段と、
複数の過去の再生データの作成時の位置情報を記憶する記憶手段から、前記入手されたルートの近辺で作成された過去の再生データの位置情報を収集する収集手段と、
前記ルートの各地点に対応する前記収集した位置情報の数に応じて、当該ルート上の重み付けを行う重み付け手段と、
前記重み付けがなされたルートに応じて、当該ルート上で作成される複数のデータ要素からなる再生データにおける再生時間を短縮する再生時間短縮手段と、
を備えるデータ処理装置。
＜請求項２＞
前記再生時間短縮手段は、前記重み付け手段により重み付けがなされたルートに応じて、当該ルート上で作成される前記再生データにおける当該重み付けの度合いが小さいデータ要素ほど再生速度を大きく設定する請求項１に記載のデータ処理装置。
＜請求項３＞
前記再生時間短縮手段により設定された再生速度に応じて、前記再生データを再生する再生手段を備える請求項２に記載のデータ処理装置。
＜請求項４＞
各データ要素の作成時に対応する位置情報が対応付けられた再生データを取得する再生データ取得手段を備え、
前記ルート入手手段は、前記取得された再生データに対応付けられた位置情報に基づいて、ルートを作成する請求項１から３のいずれか一項に記載のデータ処理装置。
＜請求項５＞
前記データ処理装置の測位を行い位置情報を取得する位置情報取得手段と、
再生データを作成し、当該再生データの各データ要素の作成時に対応する前記取得された位置情報を当該作成された再生データに対応付ける再生データ作成手段と、を備え、
前記ルート入手手段は、前記作成された再生データに対応付けられた位置情報に基づいて、ルートを作成する請求項１から３のいずれか一項に記載のデータ処理装置。
＜請求項６＞
前記再生時間短縮手段は、前記再生データ作成手段により作成された再生データにおける再生時間を短縮する請求項５に記載のデータ処理装置。
＜請求項７＞
前記再生データは、画像データであり、
前記データ要素は、フレーム画像であり、
前記再生時間短縮手段は、前記重み付け手段により重み付けがなされたルートに応じて、当該ルート上で作成される画像データにおける当該重み付けの度合いが小さいフレーム画像ほど表示時間を短く設定する請求項２又は３に記載のデータ処理装置。
＜請求項８＞
前記データ処理装置の測位を行い位置情報を取得する位置情報取得手段を備え、
前記再生データは、画像データであり、
前記データ要素は、フレーム画像であり、
前記再生時間短縮手段は、前記重み付け手段により重み付けがなされたルートに応じて、当該ルート上で作成される画像データにおける当該重み付けの度合いが小さいフレーム画像ほど撮影間隔を長く設定し、
前記取得された位置情報と前記設定された撮影間隔とに応じて、撮影により画像データを作成する再生データ作成手段を備える請求項２に記載のデータ処理装置。
＜請求項９＞
ルートの作成操作を受け付ける操作手段を備え、
前記ルート入手手段は、前記ルートの作成操作に基づいて、ルートを作成する請求項８に記載のデータ処理装置。
＜請求項１０＞
前記記憶手段は、会員の機器から受信した画像データを登録し、当該登録した画像データの撮影時の位置情報を記憶するＳＮＳサーバである請求項７から９のいずれか一項に記載のデータ処理装置。
＜請求項１１＞
前記再生データは、音声データである請求項１から６のいずれか一項に記載のデータ処理装置。
＜請求項１２＞
前記再生時間短縮手段は、前記重み付け手段により重み付けがなされたルートに応じて、当該ルート上で作成される前記再生データにおける当該重み付けの度合いが所定値よりも小さいデータ要素を再生時に飛ばすように設定する請求項１に記載のデータ処理装置。
＜請求項１３＞
前記重み付け手段は、前記ルートの各地点に対応する前記収集した位置情報の数が多いほど、当該ルート上の重み付けの度合いを大きくする請求項１から１２のいずれか一項に記載のデータ処理装置。
＜請求項１４＞
請求項１から１３のいずれか一項に記載のデータ処理装置と、
前記記憶手段と、を備えるデータ処理システム。
＜請求項１５＞
ユーザの移動経路の位置情報からなるルートを入手するルート入手工程と、
複数の過去の再生データの作成時の位置情報を記憶する記憶手段から、前記入手されたルートの近辺で作成された過去の再生データの位置情報を収集する収集工程と、
前記ルートの各地点に対応する前記収集した位置情報の数に応じて、当該ルート上の重み付けを行う重み付け工程と、
前記重み付けがなされたルートに応じて、当該ルート上で作成される複数のデータ要素からなる再生データにおける再生時間を短縮する再生時間短縮工程と、
を含む再生時間短縮方法。
＜請求項１６＞
コンピュータを、
ユーザの移動経路の位置情報からなるルートを入手するルート入手手段、
複数の過去の再生データの作成時の位置情報を記憶する記憶手段から、前記作成されたルートの近辺で作成された過去の再生データの位置情報を収集する収集手段、
前記ルートの各地点に対応する前記受信した位置情報の数に応じて、当該ルート上の重み付けを行う重み付け手段、
前記重み付けがなされたルートに応じて、当該ルート上で作成される複数のデータ要素からなる再生データにおける再生時間を短縮する再生時間短縮手段、
として機能させるためのプログラム。
【符号の説明】
【０１１２】
１００  撮影システム
１  ＳＮＳサーバ
２  撮影装置
２０１  中央制御部
２０２  メモリ
２０３  無線処理部
２０３ａ  無線ＬＡＮモジュール
２０４  撮像部
２０４ａ  レンズ部
２０４ｂ  電子撮像部
２０４ｃ  撮像制御部
２０５  画像データ処理部
２０６  記録媒体制御部
Ｍ  記録媒体
２０７  計時部
２０８  ＧＰＳ部
２０９  表示部
２０９ａ  表示パネル
２０９ｂ  表示制御部
２１０  操作入力部
２１１  バスライン
３  スマートフォン
Ｎ  通信ネットワーク
【図１】
2015186193.tif 000003
【図２】
2015186193.tif 000004
【図３】
2015186193.tif 000005
【図４】
2015186193.tif 000006
【図５】
2015186193.tif 000007
【図８】
2015186193.tif 000008
【図９】
2015186193.tif 000009
【図１０】
2015186193.tif 000010
【図６】
2015186193.tif 000011
【図７】
2015186193.tif 000012